【手続補正書】
【提出日】平成20年5月16日(2008.5.16)
【手続補正１】
【補正対象書類名】明細書
【補正対象項目名】特許請求の範囲
【補正方法】変更
【補正の内容】
【特許請求の範囲】
【請求項１】
撮像光学系により予定結像面に形成された画像を再結像光学系を用いて第１の検出手段に結像させることで、前記撮像光学系のデフォーカス情報を検出する焦点検出装置において、
前記撮像光学系の予定結像面よりも前記第１の検出手段側に配置される指標部材と、該指標部材の投影像を第２の検出手段により検出し、該検出出力に基づいて当該焦点検出装置の使用環境変化に起因する前記デフォーカス情報のずれ量を算出し、該ずれ量により前記デフォーカス情報を補正する補正手段とを有することを特徴とする焦点検出装置。
【請求項２】
前記指標部材は、当該焦点検出装置の構成部材の一つを兼用するものであり、当該焦点検出装置に固定されていることを特徴とする請求項１に記載の焦点検出装置。
【請求項３】
前記指標部材は、遮光手段で構成されていることを特徴とする請求項１又は２に記載の焦点検出装置。
【請求項４】
前記指標部材は、前記再結像光学系が検出する範囲を制限する視野マスクにより構成されることを特徴とする請求項１乃至３の何れかに記載の焦点検出装置。
【請求項５】
前記指標部材は、当該焦点検出装置の、前記撮像光学系側の取り付け面に形成されることを特徴とする請求項１乃至３の何れかに記載の焦点検出装置。
【請求項６】
前記指標部材は、当該焦点検出装置に具備される光学部材よりも前記撮像光学系側に配置されることを特徴とする請求項１乃至５の何れかに記載の焦点検出装置。      
【請求項７】
前記撮像光学系の焦点状態を検出する第１の検出手段と前記指標部材の投影像を検出する第２の検出手段は、一体に形成された一つの検出手段であり、異なる領域にてそれぞれを検出することを特徴とする請求項１乃至６の何れかに記載の焦点検出装置。      
【請求項８】
前記指標部材は、前記光学部材に印刷を行うことで形成されることを特徴とする請求項６に記載の焦点検出装置。
【請求項９】
前記光学部材の前記撮像光学系側の面を略平面で構成し、前記光学部材の前記撮像光学系側の面に遮光パターンを形成することで前記指標部材を構成することを特徴とする請求項６に記載の焦点検出装置。
【請求項１０】
結像光学系により予定結像面に形成された像を再結像光学系を用いて検出手段に結像させることで、前記結像光学系の焦点調節量を検出する焦点調節量検出装置において、
前記結像光学系の予定結像面近傍に配置される指標部材と、該指標部材の投影像を前記検出手段により検出し、該検出出力に基づいて該焦点調節量検出装置の使用環境変化に起因する前記焦点調節量のずれ量を算出し、該ずれ量により前記焦点調節量を補正する補正手段とを有することを特徴とする焦点調節量検出装置。
【請求項１１】
請求項１乃至９の何れかに記載の焦点検出装置又は請求項１０に記載の焦点調節量検出装置を具備したことを特徴とする撮像装置。
【手続補正２】
【補正対象書類名】明細書
【補正対象項目名】０００９
【補正方法】変更
【補正の内容】
【０００９】
（発明の目的）
本発明の第１の目的は、温度や湿度など使用環境変化が生じても、焦点検出結果に生じるずれを正確に補正すること、及び指標部材を撮像光路に影響が及ばないような位置に配置することのできる焦点検出装置及び撮像装置を提供しようとするものである。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
本発明の第２の目的は、補正のための指標部材を安定的に配置でき、該指標部材のずれを防止することのできる焦点検出装置及び撮像装置を提供しようとするものである。
【手続補正５】
【補正対象書類名】明細書
【補正対象項目名】００１２
【補正方法】変更
【補正の内容】
【００１２】
本発明の第３の目的は、指標部材に不要な光束を除去する機能も持たせることのできる焦点検出装置及び撮像装置を提供しようとするものである。
【手続補正６】
【補正対象書類名】明細書
【補正対象項目名】００１３
【補正方法】変更
【補正の内容】
【００１３】
本発明の第４の目的は、新たに指標部材を追加する事無く、デフォーカス量のずれ量の検出を行うことのできる焦点検出装置及び撮像装置を提供しようとするものである。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
本発明の第５の目的は、指標部材の投影像をぼけの少ない状態で検出することのできる焦点検出装置及び撮像装置を提供しようとするものである。
【手続補正９】
【補正対象書類名】明細書
【補正対象項目名】００１６
【補正方法】変更
【補正の内容】
【００１６】
本発明の第６の目的は、検出手段により光学部材の使用環境変化に起因するずれをすべて検出することのできる焦点検出装置及び撮像装置を提供しようとするものである。
【手続補正１０】
【補正対象書類名】明細書
【補正対象項目名】００１７
【補正方法】変更
【補正の内容】
【００１７】
本発明の第７の目的は、デフォーカス情報とその補正値を同時に検出することのできる焦点検出装置及び撮像装置を提供しようとするものである。
【手続補正１１】
【補正対象書類名】明細書
【補正対象項目名】００１８
【補正方法】変更
【補正の内容】
【００１８】
本発明の第８の目的は、温度や湿度など使用環境変化が生じても、焦点調節量の検出結果に生じるずれを正確に補正することのできる焦点調節量検出装置及び撮像装置を提供しようとするものである。
【手続補正１２】
【補正対象書類名】明細書
【補正対象項目名】００１９
【補正方法】変更
【補正の内容】
【００１９】
【課題を解決するための手段】
上記第１の目的を達成するために、請求項１に記載の発明は、撮像光学系により予定結像面に形成された画像を再結像光学系を用いて第１の検出手段に結像させることで、前記撮像光学系のデフォーカス情報を検出する焦点検出装置において、前記撮像光学系の予定結像面よりも前記第１の検出手段側に配置される指標部材と、該指標部材の投影像を第２の検出手段により検出し、該検出出力に基づいて当該焦点検出装置の使用環境変化に起因する前記デフォーカス情報のずれ量を算出し、該ずれ量により前記デフォーカス情報を補正する補正手段とを有する焦点検出装置とするものである。
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】変更
【補正の内容】
【００２１】
また、上記第２の目的を達成するために、請求項２に記載の発明は、前記指標部材が、当該焦点検出装置の構成部材の一つを兼用するものであり、当該焦点検出装置に固定されている請求項１に記載の焦点検出装置とするものである。
【手続補正１５】
【補正対象書類名】明細書
【補正対象項目名】００２２
【補正方法】変更
【補正の内容】
【００２２】
また、上記第３の目的を達成するために、請求項３に記載の発明は、前記指標部材が、遮光手段で構成されている請求項１又は２に記載の焦点検出装置とするものである。
【手続補正１６】
【補正対象書類名】明細書
【補正対象項目名】００２３
【補正方法】変更
【補正の内容】
【００２３】
また、上記第４の目的を達成するために、請求項４に記載の発明は、前記指標部材が、前記再結像光学系が検出する範囲を制限する視野マスクにより構成されている請求項１乃至３の何れかに記載の焦点検出装置とするものである。
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】変更
【補正の内容】
【００２５】
また、上記第５の目的を達成するために、請求項５に記載の発明は、前記指標部材が、当該焦点検出装置の、前記撮像光学系側の取り付け面に形成される請求項１乃至３の何れかに記載の焦点検出装置とするものである。
【手続補正１９】
【補正対象書類名】明細書
【補正対象項目名】００２６
【補正方法】変更
【補正の内容】
【００２６】
また、上記第６の目的を達成するために、請求項６に記載の発明は、前記指標部材が、当該焦点検出装置に具備される光学部材よりも前記撮像光学系側に配置される請求項１乃至５の何れかに記載の焦点検出装置とするものである。
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】変更
【補正の内容】
【００２８】
また、上記第７の目的を達成するために、請求項７に記載の発明は、前記撮像光学系の焦点状態を検出する第１の検出手段と前記指標部材の投影像を検出する第２の検出手段が、一体に形成された一つの検出手段であり、異なる領域にてそれぞれを検出する請求項１乃至６の何れかに記載の焦点検出装置とするものである。
【手続補正２２】
【補正対象書類名】明細書
【補正対象項目名】００２９
【補正方法】変更
【補正の内容】
【００２９】
また、上記第８の目的を達成するために、請求項１０に記載の発明は、結像光学系により予定結像面に形成された像を再結像光学系を用いて検出手段に結像させることで、前記結像光学系の焦点調節量を検出する焦点調節量検出装置において、前記結像光学系の予定結像面近傍に配置される指標部材と、該指標部材の投影像を前記検出手段により検出し、該検出出力に基づいて該焦点調節量検出装置の使用環境変化に起因する前記焦点調節量のずれ量を算出し、該ずれ量により前記焦点調節量を補正する補正手段とを有する焦点調節量検出装置とするものである。
【手続補正２３】
【補正対象書類名】明細書
【補正対象項目名】００３０
【補正方法】変更
【補正の内容】
【００３０】
また、上記第１乃至８の何れかの目的を達成するために、請求項１１に記載の発明は、請求項１乃至９の何れかに記載の焦点検出装置又は請求項１０に記載の焦点調節量検出装置を具備した撮像装置とするものである。
【手続補正２４】
【補正対象書類名】明細書
【補正対象項目名】００６９
【補正方法】変更
【補正の内容】
【００６９】
（実施の第３の形態）
図１０は本発明の実施の第３の形態に係る焦点検出装置を示す斜視図であり、上記実施の第１の形態における指標部材とは別の構成の指標部材を説明する為のものである。上記図３と同じ部分は同一符号を付し、その説明は省略する。
【手続補正２５】
【補正対象書類名】明細書
【補正対象項目名】００７０
【補正方法】変更
【補正の内容】
【００７０】
図１０において、視野マスク３０１０は、該視野マスク３０１０に設けられている一対の視野マスク位置決め用嵌合軸（図１０では不図示）と本体ブロック１１２０に設けられている視野マスク３０１０の取付面内の平面移動を規制する視野マスク位置決め嵌合穴１１２５とこの視野マスク位置決め嵌合穴１１２５に対する回転移動を規制する視野マスク位置決め嵌合長穴１１２６からなる一対の嵌合穴とにより、本体ブロック１１２０に対して位置決めされており、該視野マスク３０１０に設けられている一対の視野マスク固定用弾性爪部３０１２を、本体ブロック１１２０に設けられている一対の視野マスク固定用穴部１１２７に対して係合させることにより、該視野マスク３０１０は本体ブロック１１２０に対して固定されている。また、該視野マスク３０１０には、焦点検出装置を構成するユニットをカメラに取り付けた後は、該視野マスク３０１０に設けられている一対の視野マスク固定用弾性爪部３０１２と本体ブロック１１２０に設けられている一対の視野マスク固定用穴部１１２７の係合が外れた場合においても、該視野マスク３０１０が、本体ブロック１１２０から浮き上がることがないようにするために、該視野マスク３０１０には、視野マスク浮き防止部３０１３が設けられている。
【手続補正２６】
【補正対象書類名】明細書
【補正対象項目名】００７４
【補正方法】変更
【補正の内容】
【００７４】
（実施の第４の形態）
図１１は本発明の実施の第４の形態に係る焦点検出装置を示す斜視図であり、上記実施の第１、第２の形態における指標部材とは別の構成の指標部材を説明する為のものである。上記図３と同じ部分は同一符号を付し、その説明は省略する。
【手続補正２７】
【補正対象書類名】明細書
【補正対象項目名】００７５
【補正方法】変更
【補正の内容】
【００７５】
図１１において、視野マスク４０１０は、該視野マスク４０１０に設けられている一対の視野マスク位置決め用嵌合軸（図１１では不図示）と本体ブロック１１２０に設けられている視野マスク４０１０の取付面内の平面移動を規制する視野マスク位置決め嵌合穴１１２５とこの視野マスク位置決め嵌合穴１１２５に対する回転移動を規制する視野マスク位置決め嵌合長穴１１２６からなる一対の嵌合穴とにより、本体ブロック１１２０に対して位置決めされており、視野マスク４０１０に設けられている一対の視野マスク固定用弾性爪部４０１２を、本体ブロック１１２０に設けられている一対の視野マスク固定用穴部１１２７に対して係合させることにより、該視野マスク４０１０は本体ブロック１１２０に対して固定されている。また、該視野マスク４０１０には焦点検出装置を構成するユニットをカメラに取り付けた後は、該視野マスク４０１０に設けられている一対の視野マスク固定用弾性爪部４０１２と本体ブロック１１２０に設けられている一対の視野マスク固定用穴部１１２７の係合が外れた場合においても、該視野マスク４０１０が、本体ブロック１１２０から浮き上がることがないようにするために、該視野マスク４０１０には視野マスク浮き防止部４０１３が設けられている。
【手続補正２８】
【補正対象書類名】明細書
【補正対象項目名】００８０
【補正方法】変更
【補正の内容】
【００８０】
（実施の第５の形態）
図１２は本発明の実施の第５の形態に係る撮像装置の焦点検出装置取り付け面に対して形成されている指標部材の構成を示す斜視図であり、撮像装置のミラーボックス内部を示すものである。
【手続補正２９】
【補正対象書類名】明細書
【補正対象項目名】００８１
【補正方法】変更
【補正の内容】
【００８１】
図１２において、５０１０は不図示の撮像光学系からの光束を不図示の観察光学系であるファインダ光学系と検出手段に対して分割するメインミラー部材であり、５０２０はメインミラー部材５０１０にて分割した光束を焦点検出装置に対して導くために偏向するサブミラーであり、ミラーボックス下面に対して撮像光束を導いている。
【手続補正３０】
【補正対象書類名】明細書
【補正対象項目名】００８８
【補正方法】変更
【補正の内容】
【００８８】
１）予定結像面近傍に配置した指標部材（図３では視野マスク開口部１０１４、図１０では指標パターン３０５１、図１１では指標パターン４０２１）のエッジの像（投影像）を検出手段であるセンサにより検出し、この検出出力に基づいて焦点検出結果の補正量を算出し、該補正量によりデフォーカス情報の補正を行うようにしているので、従来排除不能であった、温度センサと実際の温度のずれによる誤差、湿度に対する誤差、その他誤差の排除が可能となり、焦点検出結果に生じるずれを正確に補正する事が可能となる。
【手続補正３１】
【補正対象書類名】明細書
【補正対象項目名】００９５
【補正方法】変更
【補正の内容】
【００９５】
８）前記指標部材を、焦点検出装置の光学部材よりも撮像光学系側に配置した構成（詳しくは、図３では、フィールドレンズ１０２０よりも撮影光学系側に視野マスク１０１０を配置し、図１０では、赤外カットフィルタ３０５０よりも撮像光学系側に指標パターン３０５１を配置し、図１１では、フィールドレンズ４０２０よりも撮影光学系側に指標パターン４０２１を配置した構成）にしているので、検出手段により前記光学部材のずれをすべて検出可能となる。
【手続補正３２】
【補正対象書類名】明細書
【補正対象項目名】０１０２
【補正方法】変更
【補正の内容】
【０１０２】
【発明の効果】
以上説明したように、請求項１又は１１に記載の発明によれば、温度や湿度など使用環境変化が生じても、焦点検出結果に生じるずれを正確に補正することができ、指標部材を撮像光路に影響が及ばないような位置に配置することができる焦点検出装置又は撮像装置を提供できるものである。
【手続補正３３】
【補正対象書類名】明細書
【補正対象項目名】０１０３
【補正方法】削除
【補正の内容】
【手続補正３４】
【補正対象書類名】明細書
【補正対象項目名】０１０４
【補正方法】変更
【補正の内容】
【０１０４】
また、請求項２又は１１に記載の発明によれば、補正のための指標部材を安定的に配置でき、該指標部材のずれを防止することができる焦点検出装置又は撮像装置を提供できるものである。
【手続補正３５】
【補正対象書類名】明細書
【補正対象項目名】０１０５
【補正方法】変更
【補正の内容】
【０１０５】
また、請求項３又は１１に記載の発明によれば、指標部材に不要な光束を除去する機能も持たせることができる焦点検出装置又は撮像装置を提供できるものである。
【手続補正３６】
【補正対象書類名】明細書
【補正対象項目名】０１０６
【補正方法】変更
【補正の内容】
【０１０６】
また、請求項４又は１１に記載の発明によれば、新たに指標部材を追加する事無く、デフォーカス量のずれ量の検出を行うことができる焦点検出装置又は撮像装置を提供できるものである。
【手続補正３７】
【補正対象書類名】明細書
【補正対象項目名】０１０７
【補正方法】削除
【補正の内容】
【手続補正３８】
【補正対象書類名】明細書
【補正対象項目名】０１０８
【補正方法】変更
【補正の内容】
【０１０８】
また、請求項５又は１１に記載の発明によれば、指標部材の投影像をぼけの少ない状態で検出することができる焦点検出装置又は撮像装置を提供できるものである。
【手続補正３９】
【補正対象書類名】明細書
【補正対象項目名】０１０９
【補正方法】変更
【補正の内容】
【０１０９】
また、請求項６又は１１に記載の発明によれば、検出手段により光学部材の使用環境変化に起因するずれをすべて検出することができる焦点検出装置又は撮像装置を提供できるものである。
【手続補正４０】
【補正対象書類名】明細書
【補正対象項目名】０１１０
【補正方法】変更
【補正の内容】
【０１１０】
また、請求項７又は１１に記載の発明によれば、デフォーカス情報とその補正値を同時に検出することができる焦点検出装置又は撮像装置を提供できるものである。
【手続補正４１】
【補正対象書類名】明細書
【補正対象項目名】０１１１
【補正方法】変更
【補正の内容】
【０１１１】
また、請求項１０又は１１に記載の発明によれば、温度や湿度など使用環境変化が生じても、焦点調節量の検出結果に生じるずれを正確に補正することができる焦点調節量検出装置又は撮像装置を提供できるものである。
【手続補正４２】
【補正対象書類名】図面
【補正対象項目名】図４
【補正方法】変更
【補正の内容】
【図４】
2002341231.tif 000001
【手続補正４３】
【補正対象書類名】図面
【補正対象項目名】図５
【補正方法】変更
【補正の内容】
【図５】
2002341231.tif 000002